(57)【要約】【課題】  ユーザが操作することなく映像データをその映像コンテンツ及び再生する機器に応じた最適な画質で表示または投影する。【解決手段】  複数の映像提示装置２−１〜２−ｋと公衆ネットワーク１を介して接続されたサーバ３に、複数の映像提示装置２−１〜２−ｋのそれぞれの機種情報とそれぞれに固有に付与された個体情報と映像データを調整するための調整内容とが対応付けられた複数の調整データが映像コンテンツ毎に調整データファイルとして格納され、サーバ３に格納された調整データファイルが映像提示装置２−１〜２−ｋによって取得され、取得された調整データファイルに含まれる複数の調整データから当該映像提示装置の機種情報及び個体情報を検索キーとして調整内容が取得され、取得された調整内容に基づいて映像データが調整して映像提示装置にて表示または投影される。【選択図】図１
2007025294.tif 000002
【特許請求の範囲】
【請求項１】
映像データを表示または投影する複数の映像提示装置を有する映像表示システムであって、
前記複数の映像提示装置とネットワークを介して接続され、前記複数の映像提示装置のそれぞれの機種情報と前記複数の映像提示装置にそれぞれに固有に付与された個体情報と前記映像データを調整するための調整内容とが対応付けられた複数の調整データを映像コンテンツ毎に調整データファイルとして格納するサーバを有し、
前記映像提示装置は、前記サーバから表示または投影する映像コンテンツの前記調整データファイルを取得し、該調整データファイルに含まれる複数の調整データから当該映像提示装置の機種情報及び個体情報を検索キーとして前記調整データを検索し、検索された調整データから前記調整内容を取得し、取得された調整内容に基づいて前記映像データを調整して表示または投影する映像表示システム。
【請求項２】
請求項１に記載の映像表示システムにおいて、
前記映像提示装置は、前記調整データを作成し、
前記サーバは、前記映像提示装置にて作成された調整データを映像コンテンツ毎に調整データファイルとして格納することを特徴とする映像表示システム。
【請求項３】
請求項１に記載の映像表示システムにおいて、
前記サーバは、前記調整データを作成し、作成された調整データを映像コンテンツ毎に調整データファイルとして格納することを特徴とする映像表示システム。
【請求項４】
請求項１乃至３のいずれか１項に記載の映像表示システムにおいて、
前記映像提示装置は、前記映像データを表示するディスプレイであることを特徴とする映像表示システム。
【請求項５】
請求項１乃至３のいずれか１項に記載の映像表示システムにおいて、
前記映像提示装置は、前記映像データを投影するプロジェクタであることを特徴とする映像表示システム。
【請求項６】
映像データを調整するための複数の調整データを映像コンテンツ毎に調整データファイルとして格納するサーバとネットワークを介して接続された映像提示装置であって、
前記サーバから表示または投影する映像コンテンツの前記調整データファイルを取得し、該調整データファイルに含まれる複数の調整データから当該映像提示装置の機種情報及び当該映像提示装置に固有に付与された個体情報を検索キーとして前記調整データを検索し、検索された調整データに基づいて前記映像データを調整して表示または投影する映像提示装置。
【請求項７】
請求項６に記載の映像提示装置において、
前記調整データを作成し、作成された調整データを前記サーバへ送信することを特徴とする映像提示装置。
【請求項８】
請求項６または請求項７に記載の映像提示装置が、前記映像データを表示するディスプレイであることを特徴とする映像提示装置。
【請求項９】
請求項６または請求項７に記載の映像提示装置が、前記映像データを投影するプロジェクタであることを特徴とする映像提示装置。
【請求項１０】
映像データを表示または投影する複数の映像提示装置とネットワークを介して接続されたサーバであって、
前記複数の映像提示装置のそれぞれの機種情報と前記複数の映像提示装置にそれぞれに固有に付与された個体情報と前記映像データを調整するための調整内容とが対応付けられた複数の調整データを映像コンテンツ毎に調整データファイルとして格納するサーバ。
【請求項１１】
請求項１０に記載のサーバにおいて、
前記調整データを作成し、作成された調整データを映像コンテンツ毎に調整データファイルとして格納することを特徴とするサーバ。
【請求項１２】
映像データを表示または投影する複数の映像提示装置を有する映像表示システムにおける映像表示方法であって、
前記複数の映像提示装置とネットワークを介して接続されたサーバに、前記複数の映像提示装置のそれぞれの機種情報と前記複数の映像提示装置にそれぞれに固有に付与された個体情報と前記映像データを調整するための調整内容とが対応付けられた調整データを映像コンテンツ毎に調整データファイルとして格納する処理と、
前記映像提示装置において、前記サーバから表示または投影する映像コンテンツの前記調整データファイルを取得する処理と、
前記映像提示装置において、前記調整データファイルに含まれる複数の調整データから当該映像提示装置の機種情報及び個体情報を検索キーとして前記調整データを検索する処理と、
検索された調整データから前記調整内容を取得する処理と、
取得された調整内容に基づいて前記映像データを調整して前記映像提示装置において表示または投影する処理とを有する映像調整方法。
【発明の詳細な説明】
【技術分野】
【０００１】
本発明は、再生される映像をその画質等を調整して表示または投影する映像表示システム及び映像表示方法に関する。
【背景技術】
【０００２】
一般的にＤＶＤビデオディスクやハードディスク等の記憶媒体に格納された映画等の映像データについては、当該映像データが表示される画質が作品毎に様々である。そのため、映像データを表示するための映像表示装置にて、Ａという作品が最適に表示される画質の調整を行った後、同じ映像表示装置においてそのままの画質でＢという作品を表示させると、明るさが暗かったり、１つの色が強調され過ぎたりして、Ｂという作品については最適な画質で表示されないことがある。このような場合、その作品が最適な画質で表示されるためには、表示されている作品を鑑賞するユーザがその都度画質調整メニュー等を用いて画質調整の操作を行う手間が必要となってしまう。
【０００３】
そこで調整操作を行う手間を省くために近年においては、最適な画質で映像データを表示するための複数の画質調整内容をメモリ等の格納手段に予め登録しておき、登録された複数の画質調整内容をユーザが読み出し、それらから最適な画質調整内容を選択するだけで選択された画質調整内容に基づいた画質での表示を可能とする方法が考えられている。
【０００４】
また、表示されるアプリケーションソフトの種類に応じた画質モードを予め設定しておき、当該アプリケーションが起動したときに設定された画質モードに基づいた画質で画像を自動的に表示する方法が考えられている（例えば、特許文献１参照。）。
【特許文献１】特開２００２−３４１８４３号公報
【発明の開示】
【発明が解決しようとする課題】
【０００５】
しかしながら、最適な画質で映像データを表示するための複数の調整設定内容をメモリ等の格納手段に予め登録しておき、登録された複数の調整設定内容をユーザが読み出し、それらから最適な調整内容を選択するだけで選択された調整内容に基づいた表示を可能とする方法においては、調整内容の読み出し及び選択のための操作についてはユーザが行わなければならないという問題点がある。
【０００６】
また、特許文献１に記載された方法においては、表示されるアプリケーションの種類によって、テキスト、静止画や動画といったレベルで画質モードが設定されるものであって、個々の作品に応じた最適な画質の調整値を設定するものではない。
【０００７】
本発明は、上述したような従来の技術が有する問題点に鑑みてなされたものであって、ユーザが操作することなく映像データをその映像コンテンツ及び再生する機器に応じた最適な画質で表示または投影することができる映像表示システム及び映像表示方法を提供することを目的とする。
【課題を解決するための手段】
【０００８】
上記目的を達成するために本発明は、
映像データを表示または投影する複数の映像提示装置を有する映像表示システムであって、
前記複数の映像提示装置とネットワークを介して接続され、前記複数の映像提示装置のそれぞれの機種情報と前記複数の映像提示装置にそれぞれに固有に付与された個体情報と前記映像データを調整するための調整内容とが対応付けられた複数の調整データを映像コンテンツ毎に調整データファイルとして格納するサーバを有し、
前記映像提示装置は、前記サーバから表示または投影する映像コンテンツの前記調整データファイルを取得し、該調整データファイルに含まれる複数の調整データから当該映像提示装置の機種情報及び個体情報を検索キーとして前記調整データを検索し、検索された調整データから前記調整内容を取得し、取得された調整内容に基づいて前記映像データを調整して表示または投影する。
【０００９】
また、前記映像提示装置は、前記調整データを作成し、
前記サーバは、前記映像提示装置にて作成された調整データを映像コンテンツ毎に調整データファイルとして格納することを特徴とする。
【００１０】
また、前記サーバは、前記調整データを作成し、作成された調整データを映像コンテンツ毎に調整データファイルとして格納することを特徴とする。
【００１１】
また、前記映像提示装置は、前記映像データを表示するディスプレイであることを特徴とする。
【００１２】
また、前記映像提示装置は、前記映像データを投影するプロジェクタであることを特徴とする。
【００１３】
また、映像データを調整するための複数の調整データを映像コンテンツ毎に調整データファイルとして格納するサーバとネットワークを介して接続された映像提示装置であって、
前記サーバから表示または投影する映像コンテンツの前記調整データファイルを取得し、該調整データファイルに含まれる複数の調整データから当該映像提示装置の機種情報及び当該映像提示装置に固有に付与された個体情報を検索キーとして前記調整データを検索し、検索された調整データに基づいて前記映像データを調整して表示または投影する。
【００１４】
また、前記調整データを作成し、作成された調整データを前記サーバへ送信することを特徴とする。
【００１５】
また、映像データを表示または投影する複数の映像提示装置とネットワークを介して接続されたサーバであって、
前記複数の映像提示装置のそれぞれの機種情報と前記複数の映像提示装置にそれぞれに固有に付与された個体情報と前記映像データを調整するための調整内容とが対応付けられた複数の調整データを映像コンテンツ毎に調整データファイルとして格納する。
【００１６】
また、前記調整データを作成し、作成された調整データを映像コンテンツ毎に調整データファイルとして格納することを特徴とする。
【００１７】
また、映像データを表示または投影する複数の映像提示装置を有する映像表示システムにおける映像表示方法であって、
前記複数の映像提示装置とネットワークを介して接続されたサーバに、前記複数の映像提示装置のそれぞれの機種情報と前記複数の映像提示装置にそれぞれに固有に付与された個体情報と前記映像データを調整するための調整内容とが対応付けられた調整データを映像コンテンツ毎に調整データファイルとして格納する処理と、
前記映像提示装置において、前記サーバから表示または投影する映像コンテンツの前記調整データファイルを取得する処理と、
前記映像提示装置において、前記調整データファイルに含まれる複数の調整データから当該映像提示装置の機種情報及び個体情報を検索キーとして前記調整データを検索する処理と、
検索された調整データから前記調整内容を取得する処理と、
取得された調整内容に基づいて前記映像データを調整して前記映像提示装置において表示または投影する処理とを有する。
【００１８】
上記のように構成された本発明においては、複数の映像提示装置とネットワークを介して接続されたサーバに、複数の映像提示装置のそれぞれの機種情報と複数の映像提示装置にそれぞれに固有に付与された個体情報と映像データを調整するための調整内容とが対応付けられた複数の調整データが映像コンテンツ毎に調整データファイルとして格納され、サーバに格納された調整データファイルが映像提示装置によって取得され、取得された調整データファイルに含まれる複数の調整データから当該映像提示装置の機種情報及び個体情報を検索キーとして調整データが検索され、検索された調整データから調整内容が取得され、取得された調整内容に基づいて映像データが調整されて映像提示装置にて表示または投影される。
【００１９】
これにより、映像コンテンツ毎に自動的に最適な画質に調整されるだけではなく、その映像コンテンツの映像データが再生される映像提示装置毎に自動的に最適な画質に調整されるため、例えば、同じ映像コンテンツであっても、映像提示装置の機種によって表示される色あいが異なっていたり、また、同じ機種であっても設置されている場所によってその場所の明るさや設置角度等により、表示する明るさ等を調整する必要があったりする場合であっても、ユーザが再生される画像を見ながら画質を調整する必要が無く、当該映像コンテンツを表示するのに最適な画質で表示または投影することができる。
【発明の効果】
【００２０】
以上説明したように本発明においては、複数の映像提示装置とネットワークを介して接続されたサーバに、複数の映像提示装置のそれぞれの機種情報と複数の映像提示装置にそれぞれに固有に付与された個体情報と映像データを調整するための調整内容とが対応付けられた複数の調整データを映像コンテンツ毎に調整データファイルとして格納し、サーバに格納された調整データファイルを映像提示装置によって取得し、取得された調整データファイルに含まれる複数の調整データから当該映像提示装置の機種情報及び個体情報を検索キーとして調整データを検索し、検索された調整データから調整内容を取得し、取得された調整内容に基づいて映像データを調整して映像提示装置にて表示または投影する構成としたため、ユーザが操作することなく映像データをその映像コンテンツ及び再生する機器に応じた最適な画質で表示または投影することができる。
【発明を実施するための最良の形態】
【００２１】
以下に、本発明の実施の形態について図面を参照して説明する。
【００２２】
図１は、本発明の映像表示システムの実施の一形態を示す図である。
【００２３】
本形態は図１に示すように、映像データを再生して表示するディスプレイまたはスクリーン等に投影するプロジェクタである複数の映像提示装置２−１〜２−ｋと、映像提示装置２−１〜２−ｋと公衆ネットワーク１を介して接続され、映像提示装置２−１〜２−ｋにて表示または投影される映像データが映像コンテンツ毎に格納されているサーバ３とから構成されている。さらに、映像提示装置２−１〜２−ｋは、公衆ネットワーク１を介してサーバ３と映像提示装置２−１〜２−ｋ内部のバスであるローカルバス２０との間におけるデータの送受信を行うネットワークインタフェース部２１と、ネットワークインタフェース部２１にて送受信されるデータについて処理を行う制御部２２と、制御部２２が処理を行う際に一時記憶手段として使用されるワークメモリ２３と、映像提示装置２−１〜２−ｋのそれぞれの機種情報や映像提示装置２−１〜２−ｋにそれぞれ固有に付与された個体情報や制御部２２を動作させる制御プログラム等が予め格納されている情報格納部２４と、サーバ３から公衆ネットワーク１を介して取得されたＭＰＥＧ形式の映像データをデコードする映像データデコード手段であるＭＰＥＧデコード部２６と、ＭＰＥＧデコード部２６とローカルバス２０とを接続するための映像データインタフェース手段であるＭＰＥＧインタフェース部２５と、映像データを表示またはスクリーン等に投影する際に当該映像データの解像度を変換させ、また映像データの画質等の調整を行う映像調整部２７と、映像調整部２７によって調整された映像データを表示またはスクリーン等に投影する表示部２８と、ユーザによって映像データの画質等を調整するためのユーザインタフェース部２９とから構成されている。また、サーバ３は、公衆ネットワーク１を介して映像提示装置２−１〜２−ｋとの間にてデータを送受信するネットワークインタフェース部３０と、映像データ及び映像データの画質等を調整するための映像調整データが予め格納されている情報格納部３２と、映像データ及び映像調整データについて情報格納部３２からの読み出し及び情報格納部３２への書き込みを行うデータ処理部３１とから構成されている。なお、情報格納部２４，３２は、映像提示装置２−１〜２−ｋまたはサーバ３の電源が切断されても、格納されている内容が消去されないフラッシュメモリである。
【００２４】
図２は、図１に示した情報格納部３２に格納された映像データのタイトル名とファイル名とが対応付けられた映像ファイル対応表を示す図である。
【００２５】
図２に示すように、情報格納部３２に格納された映像ファイル対応表２０１は、映像データの名称である映画のタイトル等の映像タイトル名と、その映像データ及び映像調整内容等が格納された映像ファイルの名称である映像ファイル名とが対応付けられて格納されている。
【００２６】
図３は、図１に示した情報格納部３２に格納された映像調整内容の一構成例を示す図である。
【００２７】
図１に示した情報格納部３２に格納された映像調整内容は図３に示すように、映像提示装置２−１〜２−ｋの機種情報及び個体情報毎に当該映像提示装置２−１〜２−ｋにて当該映像データが表示または投影されるために最適とされる調整内容である各調整値が対応付けられて調整データである映像調整データ３０２−１〜３０２−ｎとしてそれぞれ格納されており、さらに、１つの映像データに対応した映像調整データ３０２−１〜３０２−ｎが各映像ファイル名に対応付けられて調整データファイルである映像調整データファイル３０１−１〜３０１−ｍとしてそれぞれ構成されて格納されている。なお、調整項目については、Ｂｒｉｇｈｔｎｅｓｓ、Ｃｏｎｔｒａｓｔ、Ｓｈａｒｐｎｅｓｓ、Ｃｏｌｏｒ、Ｈｕｅ（色相）、Ｇａｍｍａ（ガンマ補正）を例に挙げて示したが、他に、彩度、ノイズ成分をカットするノイズリダクション、色の配列であるカラーマトリクス、色信号を遅らす機能であるＹ／Ｃディレイ、ＹＴＲ調整、ＣＴＲ調整、入力された映像データについて輝度信号と色差信号とを分離する３ＤＹ／Ｃ分離、インターレース映像をプログレッシブ映像に変換する処理であるデインターレース、輪郭補正、黒伸張、直流伝送率、色温度、ホワイトバランス、色補正、アスペクト比、解像度、オーバースキャン、画面位置、画面サイズ、帯域フィルタ、ブランキングや信号レベル調整等が考えられる。
【００２８】
以下に、図１に示した映像表示システムのおける映像表示方法について説明する。
【００２９】
図４及び図５は、図１に示した映像表示システムにおける映像表示方法を説明するためのシーケンス図である。
【００３０】
映像提示装置２−１〜２−ｋが起動すると、制御部２２によって情報格納部３２に格納されている図２に示した映像ファイル対応表２０１の映像タイトル名が公衆ネットワーク１を介して取得され、ワークメモリ２３に格納される。なお、映像タイトル名が映像提示装置２−１〜２−ｋにて取得されるタイミングについては、映像提示装置２−１〜２−ｋが起動したときだけではなく、映像提示装置２−１〜２−ｋにタイマを設けて、起動後、一定周期毎に映像タイトル名が取得されるものであっても良い。その場合、その一定周期毎に取得された映像タイトル名がワークメモリ２３にその都度上書きされるため、ワークメモリ２３に格納された映像タイトル名は、サーバ３の情報格納部３２に格納されている最新のものに随時更新されることとなる。
【００３１】
ワークメモリ２３に格納された映像タイトル名は、ユーザが認識できるように、図１に示した表示部２８またはユーザインタフェース部２９に表示される。このとき、再生希望の映像タイトル名がカーソルの移動により選択できるように表示されている。
【００３２】
図６は、図１に示したワークメモリ２３に格納された映像タイトル名が表示された表示部２８またはユーザインタフェース部２９の一例を示す図である。
【００３３】
図６に示すようにワークメモリ２３に格納された映像タイトル名が表示された表示部２８またはユーザインタフェース部２９には、映像タイトル名が「ＡＡＡ」、「ＢＢＢ」及び「ＣＣＣ」の３つの映像タイトル名が表示され、さらに「ＡＡＡ」の左にカーソルが表示されている。このカーソルを「ＢＢＢ」や「ＣＣＣ」の左に移動することにより再生希望の映像タイトル名が選択されることとなる。なお、カーソルの移動手段については、マウス、テンキー、タッチパネル等の画面に表示された内容を外部から制御できるものであれば良い。
【００３４】
ユーザが表示部２８またはユーザインタフェース部２９に表示されたカーソルを移動して再生希望の映像タイトル名を選択すると、その旨が制御部２２によって認識され、選択された映像タイトル名のＭＰＥＧ動画ファイル要求がネットワークインタフェース部２１から公衆ネットワーク１を介してサーバ３へ送信される（ステップＳ１）。
【００３５】
映像提示装置２−１〜２−ｋから送信されたＭＰＥＧ動画ファイル要求は、サーバ３のネットワークインタフェース部３０にて受信され（ステップＳ２）、その旨がデータ処理部３１にて認識されると、データ処理部３１によって情報格納部３２に格納されている映像ファイル対応表２０１が参照され、要求されたＭＰＥＧ動画ファイルの映像タイトル名に対応した映像ファイル名が取得される。そして、ファイル名が取得された映像ファイル名であるＭＰＥＧ動画ファイルが情報格納部３２から読み出され、読み出されたＭＰＥＧ動画ファイルが映像ファイル名と共にネットワークインタフェース部３０から公衆ネットワーク１を介して映像提示装置２−１〜２−ｋへ送信される(ステップＳ３)。
【００３６】
サーバ３から送信されたＭＰＥＧ動画ファイル及び映像ファイル名が映像提示装置２−１〜２−ｋのネットワークインタフェース部２１にて受信されると（ステップＳ４）、受信されたＭＰＥＧ動画ファイル及び映像ファイル名は制御部２２によってワークメモリ２３に格納される（ステップＳ５）。
【００３７】
その後、制御部２２によって、格納された映像ファイル名を検索キーとした映像調整データファイルの検索要求がネットワークインタフェース部２１から公衆ネットワーク１を介してサーバ３へ送信される（ステップＳ６）。
【００３８】
映像提示装置２−１〜２−ｋから送信された映像調整データファイル検索要求が、サーバ３のネットワークインタフェース部３０にて受信されると、データ処理部３１にて情報格納部３２に格納されているデータの中から受信された映像ファイル名に対応付けられた映像調整データファイルが検索され（ステップＳ７）、情報格納部３２内に当該映像調整データファイルがあるかどうかが判断される（ステップＳ８）。
【００３９】
映像調整データファイルがあると判断された場合、データ処理部３１によってその映像調整データファイルが情報格納部３２から読み出され、読み出された映像調整データファイルはネットワークインタフェース部３０から公衆ネットワーク１を介して映像提示装置２−１〜２−ｋへ送信される（ステップＳ９）。
【００４０】
一方、映像調整データファイルが無いと判断された場合は、映像調整データファイルが無い旨の通知がデータ処理部３１によってネットワークインタフェース部３０から公衆ネットワーク１を介して映像提示装置２−１〜２−ｋへ送信される（ステップＳ１０）。
【００４１】
ステップＳ９にて送信された映像調整データファイルが映像提示装置２−１〜２−ｋのネットワークインタフェース部２１にて受信されると（ステップＳ１１）、受信された映像調整データファイルは制御部２２によってワークメモリ２３に格納される（ステップＳ１２）。
【００４２】
その後、制御部２２によって、情報格納部２４に予め格納されている映像提示装置２−１〜２−ｋの機種を示す機種情報及び固有に付与された個体情報が読み出され、読み出された機種情報及び個体情報に対応付けられた映像調整データがワークメモリ２３に格納された映像調整データファイルの中から検索され（ステップＳ１３）、映像調整データファイル内に当該映像調整データがあるかどうかが判断される（ステップＳ１４）。
【００４３】
一方、ステップＳ５にてワークメモリ２３に格納されたＭＰＥＧ動画ファイルの中の映像データであるＭＰＥＧ動画データは、ＭＰＥＧインタフェース部２５を介してＭＰＥＧデコード部２６にて表示可能なデータ形式にデコードされ、デコードされたＭＰＥＧ動画データが映像調整部２７に入力される。
【００４４】
ステップＳ１４にて映像調整データがあると判断された場合、検索された映像調整データが制御部２２によってワークメモリ２３から読み出され、読み出された映像調整データに基づいて、映像調整部２７に入力されたＭＰＥＧ動画データの画質等が映像調整部２７にて調整される（ステップＳ１５）。このとき、当該映像調整データに基づいてＭＰＥＧ動画データの画質等の調整を行うかどうかを、ユーザが指定しても良い。
【００４５】
図７は、映像調整データに基づいてＭＰＥＧ動画データの画質等の調整を行うかどうかが表示された表示部２８またはユーザインタフェース部２９を示す図である。
【００４６】
図７に示すように、ステップＳ１４にて映像調整データがあると判断された際に、制御部２２によって表示部２８またはユーザインタフェース部２９にその旨が表示され、映像調整データに基づいてＭＰＥＧ動画データの画質等の調整を行うかどうかをユーザが選択できるようにしても良い。
【００４７】
また、映像調整部２７において、ＭＰＥＧ動画データの解像度が表示部２８に応じた解像度に変換される。
【００４８】
そして、調整及び解像度が変換されたＭＰＥＧ動画データが表示部２８にて表示または投影される（ステップＳ１６）。
【００４９】
一方、ステップＳ１０にて、情報格納部３２に映像調整データファイルが無い旨の通知がデータ処理部３１によってネットワークインタフェース部３０から公衆ネットワーク１を介して映像提示装置２−１〜２−ｋへ送信された場合、またはステップＳ１４にて、映像調整データファイルに機種情報及び個体情報に対応付けられた映像調整データが無いと判断された場合は、自動的に映像を調整することができないため、制御部２２によって、手動で調整を行うかどうかをユーザが設定できるように、その旨が表示部２８またはユーザインタフェース部２９に表示される。
【００５０】
図８は、ＭＰＥＧ動画データの画質等の調整を手動で行うかどうかが表示された表示部２８またはユーザインタフェース部２９を示す図である。
【００５１】
図８に示すように、情報格納部３２に映像調整データファイルが無い旨がデータ処理部３１によってネットワークインタフェース部３０から公衆ネットワーク１を介して映像提示装置２−１〜２−ｋへ送信された場合、またはステップＳ１４にて、映像調整データファイルに機種情報及び個体情報に対応付けられた映像調整データが無いと判断された場合、制御部２３によって表示部２８またはユーザインタフェース部２９に、ユーザがＭＰＥＧ動画データの画質等を手動で調整するかどうかが表示され、ユーザによって選択される（ステップＳ１７）。
【００５２】
ユーザによって「Ｎｏ」が選択されると、ＭＰＥＧ動画データは画質等が調整されずに表示部２８にて表示または投影される。
【００５３】
一方、ユーザによって「Ｙｅｓ」が選択されると、処理Ａに進む。
【００５４】
処理Ａに進むと、ＭＰＥＧ動画データが表示部２８にて表示または投影され（ステップＳ１８）、それと同時に、手動における調整メニューが制御部２２によって表示部２８またはユーザインタフェース部２９に表示される（ステップＳ１９）。
【００５５】
図９は、表示部２８またはユーザインタフェース部２９に表示される調整メニューを示す図である。
【００５６】
図９に示すように、各調整項目が表示されており、カーソルを移動させることにより調整したい項目が選択され、選択された項目について内容が調整できるように表示される。なお、カーソルの移動手段については、マウス、テンキー、タッチパネル等の画面に表示された内容を外部から制御できるものであれば良い。ここで、表示部２８に再生されている映像データと図９に示した調整メニューとが表示される場合、映像を見ながら調整メニューを操作して画質等の調整が可能となるように、例えば、調整メニューは表示部２８の隅に表示されるものが好ましい。
【００５７】
ユーザが表示または投影されている映像を見ながら、図９に示した表示部２８またはユーザインタフェース部２９に表示された調整メニューを調整し（ステップＳ２０）、その後、調整した内容を映像調整データとして保存するかどうかを判断し（ステップＳ２１）、保存しない場合、図９に示した調整メニューの「Ｅｘｉｔ」を選択することにより、調整内容は保存されずに終了される。一方、調整内容を保存する場合、図９に示した調整メニューの「Ｓａｖｅ」を選択することにより、制御部２２によって調整内容に基づいて映像調整データファイルが作成される（ステップＳ２２）。作成される映像調整データファイルは、調整内容と機種情報と個体情報とから構成される。作成された映像調整データファイルは、制御部２２によってネットワークインタフェース部２１から公衆ネットワーク１を介してサーバ３に送信され（ステップＳ２３）、送信された映像調整データファイルはネットワークインタフェース部３０にて受信され（ステップＳ２４）、データ処理部３１によって情報格納部３２に保存される（ステップＳ２５）。また、映像調整データのみが作成され、映像提示装置２−１〜２−ｋからサーバ３へ送信され、サーバ３にて受信された映像調整データが該当する映像調整データファイルに追加されるものであっても良い。
【００５８】
なお、情報格納部３２に保存される映像調整データファイルのうちの機種情報及び調整内容は、映像提示装置２−１〜２−ｋの製造メーカと映像コンテンツ供給会社とからサーバ３へ無料または有料で提供されるものであっても良いし、サーバ３にて調整されるものであっても良い。この場合、映像提示装置２−１〜２−ｋの設置場所等の情報が個体情報と共に情報格納部３２に格納されており、データ処理部３１にて、当該映像提示装置２−１〜２−ｋの設置場所等の情報に基づいて、その調整内容が最適な値に変更され、変更された調整内容が機種情報及び個体情報と共に映像調整データとして作成され、作成された映像調整データが映像調整データファイルに追加されて情報格納部３２に格納されるものであっても良い。
【００５９】
また、上述した映像調整データファイルが情報記憶部２４に保存されても良い。この場合、調整を行った映像提示装置２−１〜２−ｋの情報格納部２４に保存されるため、映像調整データファイル内の機種情報及び個体情報については保存する必要は無い。
【図面の簡単な説明】
【００６０】
【図１】本発明の映像表示システムの実施の一形態を示す図である。
【図２】図１に示したサーバの情報格納部に格納された映像データのタイトル名とファイル名とが対応付けられた映像ファイル対応表を示す図である。
【図３】図１に示したサーバ情報格納部に格納された映像調整内容の一構成例を示す図である。
【図４】図１に示した映像表示システムにおける映像表示方法を説明するためのシーケンス図である。
【図５】図１に示した映像表示システムにおける映像表示方法を説明するためのシーケンス図である。
【図６】図１に示したワークメモリに格納された映像タイトル名が表示された表示部またはユーザインタフェース部の一例を示す図である。
【図７】映像調整データに基づいてＭＰＥＧ動画データの画質等の調整を行うかどうかが表示された表示部またはユーザインタフェース部を示す図である。
【図８】ＭＰＥＧ動画データの画質等の調整を手動で行うかどうかが表示された表示部またはユーザインタフェース部を示す図である。
【図９】表示部またはユーザインタフェース部に表示される調整メニューを示す図である。
【符号の説明】
【００６１】
１    公衆ネットワーク
２−１〜２−ｋ    映像提示装置
３    サーバ
２０    ローカルバス
２１，３０    ネットワークインタフェース部
２２    制御部
２３    ワークメモリ
２４，３２    情報格納部
２５    ＭＰＥＧインタフェース部
２６    ＭＰＥＧデコード部
２７    映像調整部
２８    表示部
２９    ユーザインタフェース部
３１    データ処理部
２０１    映像ファイル対応表
３０１−１〜３０１−ｍ    映像調整データファイル
３０２−１〜３０２−ｎ    映像調整データ
【図１】
2007025294.tif 000003
【図２】
2007025294.tif 000004
【図３】
2007025294.tif 000005
【図４】
2007025294.tif 000006
【図５】
2007025294.tif 000007
【図６】
2007025294.tif 000008
【図７】
2007025294.tif 000009
【図８】
2007025294.tif 000010
【図９】
2007025294.tif 000011